(57)【特許請求の範囲】
【請求項１】
棚内に配設固定するものであって、収納体の両側部に夫々支持腕体を枢着し、この各支持腕体の先端部に棚の内面に設置固定する設置脚部を枢着し、この各設置脚部を棚の内面両側に固定して収納体を棚内に配設固定すると、前記支持腕体の回動によりこの収納体を棚内からこの棚底面よりも手前側下方へ下がった位置に引き出し配設できるように構成した棚配設用収納装置において、前記各支持腕体の先端部と各設置脚部との枢着部の夫々の対向内側部に、この支持腕体の回動作動に抵抗を付与するダンパー機構部を設け、このダンパー機構部に、このダンパー機構部の抵抗力を前記各支持腕体に連結することで伝達する連結部を設け、前記連結部と前記支持腕体との連結構造を、各支持腕体間に前記連結部に連結し得る連結杆体を架設すると共に、連結部の先端を連結杆体が嵌合係止し得る係止凹部に形成して、この係止凹部に連結杆体を嵌合係止する連結構造としたことを特徴とする棚配設用収納装置。
【請求項２】
前記ダンパー機構部は渦巻き型バネを備え、この渦巻き型バネにより棚内から引き出された前記収納体を棚内に格納しようとする方向に前記支持腕体が回動付勢されるように構成したことを特徴とする請求項１記載の棚配設用収納装置。
【請求項３】
前記係止凹部の幅寸法を，前記連結杆体の杆径よりもやや広幅な幅寸法に設定すると共に、係止凹部の高さ寸法を，連結杆体の杆径よりもやや高さのある高さ寸法に設定したことを特徴とする請求項１記載の棚配設用収納装置。
【発明の詳細な説明】
【０００１】
【発明の属する技術分野】
本発明は、例えばキッチンの流し台の上方に備えられている棚内に設置して使用するものであって、食器などの収納物を収納したり取り出したりしたい場合には、棚内より収納体を手前に引き出して使用することができる棚配設用収納装置に関するものである。
【０００２】
【従来の技術及び発明が解決しようとする課題】
従来から、収納体の左右側部に支持腕体を枢着し、この各支持腕体の先端部に棚内面に設置固定する設置脚を枢着し、この各設置脚を棚内の左右両側内面に固定して収納体を棚内に配設固定すると、前記支持腕体の回動によりこの収納体を棚内から引き出して、この棚内の底面よりも手前側下方へ下がった位置に引き出し配設できるように構成した棚配設用収納装置が実施されている。
【０００３】
また、このような従来の棚配設用収納装置には、収納体を棚内に収納した状態に固定若しくは維持できるような状態維持機構が備えられており、この状態維持機構によって例えばうっかりこの収納体に触れてしまったりすることによる収納体の不用意な飛び出しを防止し、使用者の安全性を確保している。
【０００４】
従来、この状態維持機構としては色々な構造のものがあるが、この状態維持機構の収納装置への取付位置は、取付スペースの広さや取り付けし易さなどの製作上の理由から、収納体と支持腕体との枢着部の左右外側位置か若しくは支持腕体と設置脚との枢着部の左右外側位置に設けられている。
【０００５】
そのため、この従来の棚配設用収納装置は、収納体の左右外側に設けられている状態維持機構が収納体を棚内に設置する際の邪魔とならないだけのスペースが棚内の左右側面と収納体の左右側面との間に存するように、その分収納体の左右幅を狭く設定しなければならず、元々の棚の収納スペースを有効に使い切れてはいなかった。
【０００６】
本発明は、このような従来の棚配設用収納装置の欠点に着目し、これを解決すべく開発されたもので、支持腕体と設置脚との枢着部の内側に状態維持機構を設ける構成とすることで収納体の左右幅を従来製品に比して広く設定することができる画期的な棚配設用収納装置を提供するものである。
【０００７】
【課題を解決するための手段】
添付図面を参照して本発明の要旨を説明する。
【０００８】
棚Ａ内に配設固定するものであって、収納体１の両側部に夫々支持腕体２を枢着し、この各支持腕体２の先端部に棚Ａの内面に設置固定する設置脚部３を枢着し、この各設置脚部３を棚Ａの内面両側に固定して収納体１を棚Ａ内に配設固定すると、前記支持腕体２の回動によりこの収納体１を棚Ａ内からこの棚Ａ底面よりも手前側下方へ下がった位置に引き出し配設できるように構成した棚配設用収納装置において、前記各支持腕体２の先端部と各設置脚部３との枢着部４の夫々の対向内側部に、この支持腕体２の回動作動に抵抗を付与するダンパー機構部５を設け、このダンパー機構部５に、このダンパー機構部５の抵抗力を前記各支持腕体２に連結することで伝達する連結部７を設け、前記連結部７と前記支持腕体２との連結構造を、各支持腕体２間に前記連結部７に連結し得る連結杆体８を架設すると共に、連結部７の先端を連結杆体８が嵌合係止し得る係止凹部９に形成して、この係止凹部９に連結杆体８を嵌合係止する連結構造としたことを特徴とする棚配設用収納装置に係るものである。
【０００９】
また、前記ダンパー機構部５は渦巻き型バネ６を備え、この渦巻き型バネ６により棚Ａ内から引き出された前記収納体１を棚Ａ内に格納しようとする方向に前記支持腕体２が回動付勢されるように構成したことを特徴とする請求項１記載の棚配設用収納装置に係るものである。
【００１０】
また、前記係止凹部９の幅寸法を，前記連結杆体８の杆径よりもやや広幅な幅寸法に設定すると共に、係止凹部９の高さ寸法を，連結杆体８の杆径よりもやや高さのある高さ寸法に設定したことを特徴とする請求項１記載の棚配設用収納装置。
【００１１】
【発明の実施の形態】
好適と考える本発明の実施の形態（発明をどのように実施するか）を、図面に基づいてその作用効果を示して簡単に説明する。
【００１２】
設置脚部３を介して棚Ａ内に設置固定した本装置の収納体１を棚Ａ内から引き出したり再び棚Ａ内に押し入れたりする際には、ダンパー機構部５により支持腕体２の回動作動が抵抗を受けて収納体１の引き出しも押し入れもゆっくりとした動作により行われる。
【００１３】
従って、特に収納体１を引き出す際には、収納体１がいきなり飛び出したりすることがなく、非常に安全性に秀れ実用的となる。
【００１４】
また、従来例では、収納体の状態維持機構がこの収納体の両外側に設けられているために、この状態維持機構が収納体を棚内に設置する際の邪魔とならないだけのスペースが棚内の両側面と収納体の両側面との間に存するように、その分収納体の左右幅を狭く設定しなければならなかったが、本発明では、ダンパー機構部５を収納体１両側に存する枢着部４の対向内側部に設けているから、収納体１の両外側と棚Ａの両側内面との間にこのダンパー機構部５の設置スペースを配慮する必要がなく、それだけ従来例よりも収納体１の横幅寸法を広幅に設定構成することができる。
【００１５】
また、このダンパー機構部５は、各支持腕体２の先端部と各設置脚部３との枢着部４の夫々の対向内側部に設ける構成のため、棚Ａ内に本装置を設置した際に棚Ａ底面との間に生じることになる収納体１下方のスペースを利用して枢着部４の内側部にこのダンパー機構部５を簡易に取付可能となる。
【００１６】
従って、ダンパー機構部５付にして従来例よりも広い収納スペースを有する実用的な装置構成を簡易に実現可能となる。
【００１７】
また、前記ダンパー機構部５に、このダンパー機構部５の抵抗力を前記各支持腕体２に連結することで伝達する連結部７を設け、前記連結部７と前記支持腕体２との連結構造を、各支持腕体２間に前記連結部７に連結し得る連結杆体８を架設すると共に、連結部７の先端を連結杆体８が嵌合係止し得る係止凹部９に形成して、この係止凹部９に連結杆体８を嵌合係止する連結構造としたから、このダンパー機構部５の支持腕体２に対する抵抗力伝達構造を簡易に設計実現可能となる上、この連結部７と連結杆体８とを固定しないから、組み立てに当たって支持腕部２の組み立てとダンパー機構部５の組み立てとを別々に行うことができて組み立て作業が容易に行われることになる。
【００１８】
しかも例えばダンパー機構部５の連結部７と連結杆体８とを溶接などによって確固に固定した場合には、連結杆体８が支持腕体２の回動移動に伴って移動する構成上、支持腕体２に対する連結杆体８の取付位置が左右両側で違っていたりすると、連結杆体８と連結部７との連結部分や枢着部４部分に無理が生じて壊れ易くなってしまうが、本発明においては溶着などの固定手段を用いずに単に係止凹部９に連結杆体８を嵌合係止する構成のため、前述したような製作上の誤差があっても係止凹部９に対して連結杆体８が誤差を解消すべく自由に動いて枢着部４などに無理を生じにくく壊れにくいことになり、また、これにより製作に際して連結杆体８の取付位置に正確な精度を必要とせず、ある程度ラフな位置に連結杆体８を取り付けできることになるから、製作も容易に行われる。
【００１９】
【実施例】
本発明の具体的な実施例について図面に基づいて説明する。
【００２０】
本実施例の収納体１は、図１，図２に示すように方形箱型体の上面と前面とを開口形成した構成とし、この収納体１の前面下部に引き出し用取手10を設けている。また、この収納体１内部の中程に棚板11を架設し、この棚板11と底板とで上下二段の収納棚構造に構成している。
【００２１】
また、この収納体１の左右夫々の側面部に、片側前後二体ずつ計四体の支持腕体２を枢着し、この左右片側二体ずつの支持腕体２の先端部を設置脚部３に枢着して平行リンク12を構成している。即ち、この平行リンク12の回動により、図５に示すように棚Ａ内底面に設置固定した左右一対の設置脚部３に対して収納体１が角度を変えずに引き出し入れ作動するように構成している。
【００２２】
本実施例の設置脚部３は、図３に示すように、棚Ａ内の左右両側部位置に固定する棚側固定体３Ａと、収納体１の左右両側の支持腕体２の先端部に枢着されてこの棚側固定体３Ａに対して着脱連結可能な収納体側固定体３Ｂとから成る構成とし、この棚側固定体３Ａの後部と収納体側固定体３Ｂの後部とを互いに係止するだけの係止構造とすると共に、棚側固定体３Ａの前部と収納体側固定体３Ｂの前部とを互いに螺着係止する係止構造としている。
【００２３】
尚、図中符号13は棚側固定体３Ａに形成した螺着係止用の螺子孔、14は螺子孔13に挿通する螺子であって、本実施例では図３に示すように、棚側固定体３Ａの前部に形成した前記螺子孔13を横長孔に形成し、これにより棚側固定体３Ａに対する収納体側固定体３Ｂの固定位置を左右方向に位置調整可能とし、棚Ａの横幅に応じて左右の棚側固定体３Ａ間間隔を幅調整できるように構成している。また、棚側固定体３Ａの側部に形成した前記螺子孔13を介して螺子14を棚Ａ内側面に螺着することで設置脚部３を棚Ａ内に固定する構成としている。
【００２４】
また、この左右一対の設置脚部３は、図２に示すように内側の収納体側固定体３Ｂ間に連結桟杆15を架設して一体的に構成し、このように左右の設置脚部３を一体的に構成することにより左右の設置脚部３が別体に構成されている場合に比して棚Ａ内底面への設置作業を容易に行えるようにし、且つ組み立て製作に際して後述する連結杆体８を左右のダンパー機構部５の係止凹部９に嵌合係止し易くしている。
【００２５】
本実施例では、前記各支持腕体２の先端部と各設置脚部３との枢着部４の夫々の対向内側部に、この支持腕体２の回動作動に抵抗を付与するダンパー機構部５を設け、このダンパー機構部５にこのダンパー機構部５の抵抗力を前記各支持腕体２に連結することで伝達する連結部７を設けている。
【００２６】
ダンパー機構部５について具体的に説明すると、図４に示すように前記左右夫々の収納体側固定体３Ｂにこの収納体側固定体３Ｂの対向内側方向に向かってダンパー取付板部16を一体的に突設し、このダンパー取付板部16上の収納体側固定体３Ｂ寄りにダンパー取付金具18を立設状態に設けている。
【００２７】
このダンパー取付金具18に、図４中左側から小型円盤状のオイルダンパー26を付設し、このオイルダンパー26のダンパー軸27をダンパー取付金具18に形成した軸通し孔28からこのダンパー取付金具18の右側へ突出させ、このダンパー軸27を前記連結部７としての長さのある板材の一端部に形成した軸連結穴29に連結し、オイルダンパー26の作用により連結部７がゆっくりと滑らかに回動作動するように構成している。
【００２８】
また、本実施例のダンパー機構部５は渦巻き型バネ６を備え、この渦巻き型バネ６により棚Ａ内から引き出された前記収納体１を棚Ａ内に格納しようとする方向に前記支持腕体２が回動付勢されるように構成している。
【００２９】
具体的には、前記連結部７より図面右側のダンパー取付板部16上にコ字型のバネ取付金具17を設けている。
【００３０】
このバネ取付金具17の遊離板部間に渦巻き型バネ６を配設し、この渦巻き型バネ６の中心孔にバネ取付金具17の図４において左側の遊離板部に形成したシャフト取付孔19からバネシャフト20を挿入し、このバネシャフト20の挿入側先端に形成した螺子穴21にバネ取付金具17の図４において右側の遊離板部に形成した貫通孔22から取付螺子23を螺着することによりバネ取付金具17に対してバネシャフト20を回動自在に設けている。
【００３１】
また、この渦巻き型バネ６の内周側端部をバネシャフト20の周側面に形成した係止溝24に係止すると共に、この渦巻き型バネ６の外周側端部を前記ダンパー取付板部16の図３中手前側に形成した係止片25に係止し、これにより渦巻き型バネ６の付勢力がバネシャフト20に加わり、このバネシャフト20が常に図４において時計回り方向に回動付勢されるように構成している。
【００３２】
そして、このバネシャフト20の基端部を、前記連結部７の一端部に連結し、この渦巻き型バネ６の付勢力がバネシャフト20を介して連結部７に伝達されるように構成している。即ち、連結部７は、オイルダンパー26の作用によって回動作動がゆっくりと滑らかに行われ、且つ渦巻き型バネ６の作用によって図４における時計回り方向に常に回動付勢されるように構成している。
【００３３】
また、本実施例では、このように構成したダンパー機構部５を上方からカバー体30で被覆し、このカバー体30によってダンパー機構部５の内部構造を外部から隠蔽して体裁を良好にすると共に、ダンパー機構部５の破損を防止している。
【００３４】
尚、図中符号31は螺子（図示省略）によりバネシャフト20の基端部と連結部７の一端部とを連結するための連結孔、32は螺子（図示省略）によりダンパー取付金具18にオイルダンパー26を付設するための取付孔、33はカバー体30の上部に形成した連結部７先端を露出させるためのガイド長窓、34はカバー体30固定用の固定螺子である。
【００３５】
このダンパー機構部５の連結部７と前記支持腕体２との連結構造は、各支持腕体２間に前記連結部７に連結し得る連結杆体８を架設すると共に、連結部７の先端を連結杆体８が嵌合係止し得る係止凹部９に形成して、この係止凹部９に連結杆体８を嵌合係止する連結構造としている。
【００３６】
具体的には、連結杆体８は角棒状に構成し、この角棒状の連結杆体８の両端部に取付補助板35を付設して、この両側の取付補助板35を前記前側左右の支持腕体２の下部に付設することにより左右の支持腕体２間に連結杆体８を架設した構成としている。
【００３７】
係止凹部９は、角棒状の連結杆体８に形を合わせた角形凹部とし、更にこの係止凹部９の幅寸法を，連結杆体８の杆径よりもやや広幅な幅寸法に設定すると共に、係止凹部９の高さ寸法を，連結杆体８の杆径よりもやや高さのある高さ寸法に設定構成して、支持腕体２に対する連結杆体８の取付位置が左右両側で違っていたりするような製作上の誤差があっても、係止凹部９に対して連結杆体８が誤差を解消すべく前後上下に自由に動いて枢着部４部分などに無理を生じにくく壊れにくいように構成している。
【００３８】
従って、この連結部７の係止凹部９を連結杆体８に嵌合係止すると、支持腕体２の回動に伴って連結杆体８が回動し、この連結杆体８が嵌合係止している連結部７も回動することになるから、設置脚部３を介して棚Ａ内に配設固定した本装置の収納体１を棚Ａ内から引き出したり棚Ａ内に押し入れたりする際には、ダンパー機構部５の抵抗力によって支持腕体２の回動作動に抵抗が付与されて引き出しも押し入れもゆっくりとした動作により行われることになり、特に収納体１の引き出しに際しては収納体１がいきなり飛び出したりすることがないように構成している。
【００３９】
また、ダンパー機構部５に設けた渦巻き型バネ６により、棚Ａ内から引き出した収納体１が棚Ａ内に格納されようとする方向に支持腕体２が回動付勢されているから、収納体１を引き出さない限りは収納体１の棚Ａ内に格納された状態が良好に保持される上、棚Ａ内から引き出した収納体１を棚Ａ内に押し入れる際にはこの渦巻き型バネ６の付勢力が作用することで大型の収納体１であっても簡単に押し入れできるように構成している。
【００４０】
従って、本実施例では上述のように構成したから、ダンパー機構部５を両側の支持腕体２の先端部と各設置脚部３との枢着部４の夫々の対向内側部に設けているため、収納体１の両外側と棚Ａの両側内面との間にこのダンパー機構部５の設置スペースを配慮する必要がなく、それだけ従来例よりも収納体１の横幅寸法を広幅に設定構成することができた。また、従来例と異なり支持腕体２の外側に機構部がなくなったことにより、更に色々な横幅寸法の棚Ａに取り付けが可能となり、従来例よりも一層汎用性に秀れることになった。
【００４１】
また、渦巻き型バネ６と小型円盤状のオイルダンパー26とによるダンパー機構部５を構成しているから、ダンパー機構部５自体を小型化でき、このためこのダンパー機構部５が収納体１の高さ寸法に干渉することもなく、従来同様の高さ寸法を維持した収納体１を構成できた。
【００４２】
また、ダンパー機構部５の連結部７を支持腕体２間に架設した連結杆体８に固定しないから、組み立てに当たって支持腕部２の組み立てとダンパー機構部５の組み立てとを別々に行うことができ、組み立て作業が容易に行われて量産性が向上することになる。
【００４３】
尚、図中符号36は収納体１に収納する収納物の高さ制限を示す制限表示体であり、この制限表示体36は様々な棚Ａのサイズ高さに応じて突出高さ調整可能に構成している。
【００４４】
【発明の効果】
本発明は上述のように構成したから、設置脚部を介して棚内に設置固定した本装置の収納体を棚内から引き出したり再び棚内に押し入れたりする際には、ダンパー機構部により支持腕体の回動作動が抵抗を受けて収納体の引き出しも押し入れもゆっくりとした動作により行われることになるから、特に収納体を引き出す際には収納体がいきなり飛び出したりすることがなく、非常に安全性に秀れ、極めて実用的な棚配設用収納装置となる。
【００４５】
また、従来例では、収納体の状態維持機構がこの収納体の両外側に設けられているために、この状態維持機構が収納体を棚内に設置する際の邪魔とならないだけのスペースが棚内の両側面と収納体の両側面との間に存するように、その分収納体の左右幅を狭く設定しなければならなかったが、本発明では、ダンパー機構部を収納体両側に存する枢着部の対向内側部に設けているから、収納体の両外側と棚の両側内面との間にこのダンパー機構部の設置スペースを配慮する必要がなく、それだけ従来例よりも収納体の横幅寸法を広幅に設定構成することができる上、このダンパー機構部は、各支持腕体の先端部と各設置脚部との枢着部の夫々の対向内側部に設ける構成のため、棚内に本装置を設置した際に棚底面との間に生じることになる収納体下方のスペースを利用して枢着部の内側部にこのダンパー機構部を簡易に取付可能となる。
【００４６】
従って、ダンパー機構部付にして従来例よりも広い収納スペースを有する実用的な装置構成を簡易に実現可能となる極めて秀れた構成の画期的な棚配設用収納装置となる。
【００４７】
また、本発明においては、ダンパー機構部の支持腕体に対する抵抗力伝達構造を簡易に設計実現可能となる上、連結部と支持腕体間に架設した連結杆体とを固定しないから、組み立てに当たって支持腕部の組み立てとダンパー機構部の組み立てとを別々に行うことができて組み立て作業が容易に行われることになり、一層実用的となる。
【００４８】
しかも、例えばダンパー機構部の連結部と連結杆体とを溶接などによって確固に固定した場合には、連結杆体が支持腕体の回動移動に伴って移動する構成上、支持腕体に対する連結杆体の取付位置が左右両側で違っていたりすると、連結杆体と連結部との連結部分や枢着部部分に無理が生じて壊れ易くなってしまうが、本発明においては溶着などの固定手段を用いずに単に係止凹部に連結杆体を嵌合係止する構成のため、前述したような製作上の誤差があっても係止凹部に対して連結杆体が誤差を解消すべく自由に動いて枢着部などに無理を生じにくく壊れにくいことになり、また、これにより製作に際して連結杆体の取付位置に正確な精度を必要とせず、ある程度ラフな位置に連結杆体を取り付けできることになるから製作も容易に行われるなど、秀れた構成となる。
【００４９】
請求項２の発明においては、請求項１の発明の効果に加えて、ダンパー機構部に備えた渦巻き型バネにより、棚内から引き出した収納体が棚内に格納されようとする方向に支持腕体が回動付勢されているから、収納体を引き出さない限りは収納体の棚内に格納された状態が良好に保持されて飛び出したりする危険性がない上、棚内から引き出した収納体を棚内に押し入れる際にはこの渦巻き型バネの付勢力が作用することで大型の収納体であっても簡単に押し入れできることになり、しかも渦巻き型バネを備える構成のためにダンパー機構部を小型化でき、このダンパー機構部が収納体の高さ寸法に干渉することのない従来同様の高さ寸法を維持した収納体を構成できることになるなど、一層実用的となる。
【００５０】
請求項３の発明においては、請求項１の発明の効果に加えて、前述したような製作上の誤差に一層良好に対応できることになり、一層壊れにくい秀れた装置構成となる。
【図面の簡単な説明】
【図１】本実施例を示す斜視図である。
【図２】本実施例を収納体部分と、支持腕体部分と、設置脚部部分とに分解した状態を示す分解斜視図である。
【図３】本実施例のカバー体を取り外したダンパー機構部を示す拡大斜視図である。
【図４】本実施例のダンパー機構部の構造を説明する拡大分解斜視図である。
【図５】本実施例の使用状態を示す説明図である。
【符号の説明】
１  収納体
２  支持腕体
３  設置脚部
４  枢着部
５  ダンパー機構部
６  渦巻き型バネ
７  連結部
８  連結杆体
９  係止凹部
Ａ  棚
【図１】
0003554198.tif 000002
【図２】
0003554198.tif 000003
【図３】
0003554198.tif 000004
【図４】
0003554198.tif 000005
【図５】
0003554198.tif 000006